(57)【要約】      （修正有）【課題】高層住宅のベランダに設置する工事用足場使用時に突風に対しても耐え、作業者の墜落防止、工具等の落下防止、塗料の飛散防止を図る防護シート吊り下げ装置を提供する。【解決手段】作業を行なう階の上層階４に三角枠部６と突出アーム部７とからなる枠組み部１９を三角枠部６で構成される面をベランダ５の長さ方向に直交させて間隔をおいて配置する。突出アーム部７の室外側５ｆの端部同士で防護シート支持部８を連結する。防護シート９の上端部を、防護シート支持部８で支持し、防護シート９の下端部に錘部材１０を装着する。防護シート９を、作業を行なう上層階４から、作業階３に設置された工事用足場２をベランダ５１の室外側５ｆから覆うように、作業階３のベランダ側壁５ｃの室内側５ｅ下部まで懸吊する。【選択図】図１
2011047186.tif 000002
【特許請求の範囲】
【請求項１】
高層住宅の作業を行なう階の上層階のベランダに設置され、該作業を行なう階のベランダに設置する工事用足場での作業時に使用する防護シート吊り下げ装置であって、  
該上層階のベランダ及び該作業を行なう階のベランダは、ベランダ床面と、ベランダ天井壁と、ベランダ側壁と、を備えて構成され、
該防護シート吊り下げ装置は、それぞれ三角枠部と、突出アーム部と、で構成される一対の枠組み部を備え、
各該三角枠部は、該上層階の該ベランダ天井壁と該上層階の該ベランダ床面とを突っ張って支持して、該上層階のベランダの室外側の端部に配置される縦支持部と、該縦支持部の該上層階の該ベランダ天井壁側の端部と連結されて、該縦支持部に直交して該上層階のベランダの室内側に向かって延びる横支持部と、該上層階の該ベランダ天井壁と該上層階の該ベランダ床面とを斜めに突っ張って支持して、該横支持部の該上層階のベランダの室内側の端部で連結されるとともに、該縦支持部の該上層階の該ベランダ床面側の端部で連結される補強支持部と、で形成され、
各該突出アーム部は、該三角枠部の中央部に配設されて、該縦支持部と該補強支持部に支持されて該上層階のベランダの室外側に延びて配設され、
一対の該枠組み部は、該上層階に該三角枠部で構成される平面が該ベランダの長手方向に直交するように間隔をおいて対向して配置され、
該突出アーム部の該上層階のベランダの室外側の端部同士に連結される防護シート支持部と、
該防護シート支持部に、鉛直方向上側の端部を支持され、該作業を行なう階に設置された該工事用足場を、該作業を行なう階のベランダの室外側から覆うように、該上層階から該作業を行なう階の該ベランダ側壁の室内側下部まで懸吊された防護シートと、を備えて構成されることを特徴とする防護シート吊り下げ装置。
【請求項２】
該縦支持部は、該上層階の該ベランダ床面側の端部に該上層階の該ベランダ床面を押圧し緩衝材を備えた第１の押圧部を有し、
該横支持部は、該縦支持部との連結部分の上部に該上層階の該ベランダ天井壁を押圧し緩衝材を備えた第２の押圧部と、該上層階のベランダの室内側の端部に該上層階の該ベランダ天井壁を押圧し緩衝材を備えた第３の押圧部と、を有することを特徴とする請求項１記載の防護シート吊り下げ装置。
【請求項３】
該枠組み部には、上下左右に回動可能に軸支された風車を有し、所定の風速以上の風が吹いた時に、該風車と同心軸に支持された円盤が回動し、該円盤の回動の遠心力で警告板が半径方向外側に飛び出す風力風向検知手段が装着されていることを特徴とする請求項１又は２記載の防護シート吊り下げ装置。
【請求項４】
該縦支持部と、該横支持部と、該補強支持部と、にそれぞれ長手方向の長さを調節する長さ調節手段を有することを特徴とする請求項１、２又は３記載の防護シート吊り下げ装置。
【請求項５】
該横支持部は、該上層階のベランダの室外側に突出する突出部を有し、
該突出部には、該突出部の該上層階のベランダの室外側の端部同士を連結する安全手段支持部が配設され、該安全手段支持部に移動可能に懸架されて、作業者に装着された安全帯と着脱可能な安全手段が配設されていることを特徴とする請求項１、２、３又は４記載の防護シート吊り下げ装置。
【請求項６】
該安全手段支持部と該防護シート支持部とが、ワイヤ部材で形成され、
該ワイヤ部材の長さと張り具合とを調節する巻き取り装置を有することを特徴とする請求項５記載の防護シート吊り下げ装置。
【発明の詳細な説明】
【技術分野】
【０００１】
作業を行なう上層階のベランダに設置され、高層住宅のベランダに設置する工事用足場での作業時に使用する防護シート吊り下げ装置に関する。
【背景技術】
【０００２】
高層住宅でのベランダ側壁の清掃工事や外壁の改修工事等を行なう場合、ピケ足場自体に防護シートを装着し、壁繋ぎ等で支持していたが、工事中に発生する突風やビル風による影響で、作業員の安全が脅かされていた。地上から積み上げて構成するピケ足場の場合、高層住宅の場合では、防護シート自体が風を受け止めてしまいピケ足場が倒壊するという事故が発生していた。
【０００３】
従来において倒壊防止策としては、高層住宅のベランダに設置する工事用足場として、特許文献１に知られるように、上下に対向する室外廊下の上面壁と下面壁との間に、上下に延びる支柱によって足場本体を突っ張り支持させる足場装置があった。この足場装置は、下面壁に接地する下段支柱が室内外四隅部に設けられるともに、上面壁に接地する上段支柱は、室内外四隅部のうち室内側両隅部に設けられて、これら４本の下段支柱と２本の上段支柱によって足場本体が上面壁と下面壁との間で突っ張り支持され、前記足場本体には室外側に張り出す張り出し枠が設けられ、この張り出し枠に作業床が形成されていた。
【０００４】
ベランダに工事用足場を設置することで、工事用足場自体が倒壊する危険は減少したが、突風に対しての作業者の墜落や、工具等の落下、塗料の飛散といった課題は依然として解消されていなかった。
【先行技術文献】
【特許文献】
【０００５】
【特許文献１】特開２００２−２１３２２号公報
【発明の概要】
【発明が解決しようとする課題】
【０００６】
本発明は、高層住宅のベランダに設置する工事用足場使用時に突風に対しても耐え、作業者の墜落防止、工具等の落下防止、塗料の飛散防止を図る防護シート吊り下げ装置を提供するものである。
【課題を解決するための手段】
【０００７】
請求項１記載の発明は、高層住宅の作業を行なう階の上層階のベランダに設置され、該作業を行なう階のベランダに設置する工事用足場での作業時に使用する防護シート吊り下げ装置であって、  
該上層階のベランダ及び該作業を行なう階のベランダは、ベランダ床面と、ベランダ天井壁と、ベランダ側壁と、を備えて構成され、
該防護シート吊り下げ装置は、それぞれ三角枠部と、突出アーム部と、で構成される一対の枠組み部を備え、
各該三角枠部は、該上層階の該ベランダ天井壁と該上層階の該ベランダ床面とを突っ張って支持して、該上層階のベランダの室外側の端部に配置される縦支持部と、該縦支持部の該上層階の該ベランダ天井壁側の端部と連結されて、該縦支持部に直交して該上層階のベランダの室内側に向かって延びる横支持部と、該上層階の該ベランダ天井壁と該上層階の該ベランダ床面とを斜めに突っ張って支持して、該横支持部の該上層階のベランダの室内側の端部で連結されるとともに、該縦支持部の該上層階の該ベランダ床面側の端部で連結される補強支持部と、で形成され、
各該突出アーム部は、該三角枠部の中央部に配設されて、該縦支持部と該補強支持部に支持されて該上層階のベランダの室外側に延びて配設され、
一対の該枠組み部は、該上層階に該三角枠部で構成される平面が該ベランダの長手方向に直交するように間隔をおいて対向して配置され、
該突出アーム部の該上層階のベランダの室外側の端部同士に連結される防護シート支持部と、
該防護シート支持部に、鉛直方向上側の端部を支持され、該作業を行なう階に設置された該工事用足場を、該作業を行なう階のベランダの室外側から覆うように、該上層階から該作業を行なう階の該ベランダ側壁の室内側下部まで懸吊された防護シートと、を備えて構成されることを特徴とする。
【０００８】
請求項２記載の発明は、該縦支持部は、該上層階の該ベランダ床面側の端部に該上層階の該ベランダ床面を押圧し緩衝材を備えた第１の押圧部を有し、
該横支持部は、該縦支持部との連結部分の上部に該上層階の該ベランダ天井壁を押圧し緩衝材を備えた第２の押圧部と、該上層階のベランダの室内側の端部に該上層階の該ベランダ天井壁を押圧し緩衝材を備えた第３の押圧部と、を有することを特徴とする。
【０００９】
請求項３記載の発明は、該枠組み部には、上下左右に回動可能に軸支された風車を有し、所定の風速以上の風が吹いた時に、該風車と同心軸に支持された円盤が回動し、該円盤の回動の遠心力で警告板が半径方向外側に飛び出す風力風向検知手段が装着されていることを特徴とする。
【００１０】
請求項４記載の発明は、該縦支持部と、該横支持部と、該補強支持部と、にそれぞれ長手方向の長さを調節する長さ調節手段を有することを特徴とする。
【００１１】
請求項５記載の発明は、該横支持部は、該上層階のベランダの室外側に突出する突出部を有し、該突出部には、該突出部の該上層階のベランダの室外側の端部同士を連結する安全手段支持部が配設され、該安全手段支持部に移動可能に懸架されて、作業者に装着された安全帯と着脱可能な安全手段が配設されていることを特徴とする。
【００１２】
請求項６記載の発明は、該安全手段支持部と該防護シート支持部とが、ワイヤ部材で形成され、該ワイヤ部材の長さと張り具合とを調節する巻き取り装置を有することを特徴とする。
【発明の効果】
【００１３】
請求項１記載の発明では、作業を行なう階の上層階のベランダに設置された防護シート吊り下げ装置の防護シート支持部に防護シートは、鉛直方向上側の端部を支持され配設されている。防護シートは、作業を行なう階のベランダに設置された工事用足場とは分離して設置されるため、作業を行なう階のベランダに設置された工事用足場は、防護シートで保護されることから突風の影響を受けないので作業者は、安全に作業をすることができる。また、作業を行なう階に設置された工事用足場を、作業を行なう階のベランダ室外側から覆うように、作業を行なう階の上層階から作業を行なう階のベランダ側壁の室内側下部まで懸吊されているので、作業に使用する工具等の落下、外壁改修作業に使用する塗料の飛散を防止することができる。
【００１４】
請求項２記載の発明では、作業を行なう階の上層階のベランダ天井壁やベランダ床面を直接突っ張って支持するのではなく、緩衝材を備えた押圧部により押圧することで、作業を行なう階の上層階のベランダ天井壁とベランダ床面とを傷つけることがない。
【００１５】
請求項３記載の発明では、所定の風速以上の風が吹いた時に、警告を発する風力風向検知手段により、上下左右方向からの風を察知することができ、作業員の危険を回避することができる。
【００１６】
請求項４記載の発明では、ベランダのサイズに合わせて縦支持部と、横支持部と、補強支持部の長手方向の長さを調節することができる。
【００１７】
請求項５記載の発明では、安全手段支持部は、作業を行なう階の上層階のベランダに配設され安全手段を懸架している。工事用足場と一体化して懸架されていないので、工事用足場が倒壊しても作業者は、安全を確保することができる。また、安全手段支持部の長さ分の移動が可能となり、安全帯を着脱する必要がなくなるため作業員の利便性が向上する。
【００１８】
請求項６記載の発明では、安全手段支持部及び防護シート支持部に、ワイヤ部材及び巻き取り装置を用いることによって、一組の枠組み部の配置間隔の調節が容易となる。作業員の移動距離及び防護シートの幅をベランダの長手方向の長さとすることができる。
【図面の簡単な説明】
【００１９】
【図１】本発明の一実施形態の防護シート吊り下げ装置の使用状態図である。
【図２】本発明の一実施形態の防護シート吊り下げ装置の正面図である。
【図３】本発明の一実施形態の防護シート吊り下げ装置の（ａ）縦支持部と横支持部との連結部分の側面断面図、（ｂ）横支持部と補強支持部との連結部分の側面断面図、（ｃ）縦支持部と補強支持部との連結部分の平面断面図である。
【図４】本発明の一実施形態の防護シート吊り下げ装置の長さ調節手段の部分拡大図である。
【図５】本発明の一実施形態の防護シート吊り下げ装置の側面図である。
【図６】本発明の一実施形態の防護シート吊り下げ装置の（ａ）突出アーム部と縦支持部との支持部分、（ｂ）突出アーム部と補強支持部との支持部分の拡大図である。
【図７】本発明の一実施形態の防護シート吊り下げ装置に装着される風力風向検知機の側面図である。
【図８】本発明の一実施形態の防護シート吊り下げ装置に装着される風力風向検知機の正面図である。
【図９】本発明の一実施形態の防護シート吊り下げ装置に装着される風力風向検知機の平面図である。
【図１０】本発明の一実施形態の防護シート吊り下げ装置に装着される風力風向検知機の警告を発する部分の拡大図である。
【図１１】本発明の一実施形態の防護シート吊り下げ装置のワイヤ部材巻き取り装置の配置を示す状態図である。
【図１２】本発明の一実施形態の防護シート吊り下げ装置の使用時において安全帯を装着した作業者の図である。
【図１３】本発明の一実施形態の防護シート吊り下げ装置に吹き流しを装着した状態の（ａ）正面図（ｂ）側面図である。
【発明を実施するための形態】
【００２０】
本願発明の防護シート吊り下げ装置の実施形態について図面に基づいて説明する。以下の説明においては、図１における上下を上下方向とし、後述するベランダ５の幅方向に沿って室内に向かう側を室内側５ｅ、その反対側を室外側５ｆとする。
【００２１】
本発明の実施形態では、図１に示すとおり、防護シート吊り下げ装置（以下、「吊り下げ装置」という。）１は、高層住宅の工事用足場２が設置され改修改築作業等を行なう階（以下、「作業階」という。）３の上層階４のベランダ５に設置されている。上層階４のベランダ５は、ベランダ床面５ａ、ベランダ天井壁５ｂ、ベランダ側壁５ｃ、及び、ベランダ室内側壁５ｇとで構成される。作業階３のベランダ５１は、ベランダ床面５Ａ、ベランダ天井壁５Ｂ、及び、ベランダ側壁５Ｃで構成されている。  
【００２２】
吊り下げ装置１は、図５に示すように、一対の枠組み部１９、１９を備え、各枠組み部１９は、ベランダ床面５ａとベランダ天井壁５ｂとを突っ張って支持する三角形状の三角枠部６と、三角枠部６に支持され室外側５ｆに延びる突出アーム部７と、から構成されている。また、吊り下げ装置１は、各枠組み部１９の突出アーム部７の室外側５ｆの端部同士に連結される防護シート支持部８と、防護シート支持部８に上端部を支持される防護シート９と、防護シート９の下端部に装着されている錘部材１０と、枠組み部１９、１９の一方に装着され上下左右方向の風を検知し警告を発する風力風向検知機２０と、後述する横支持部１２の室外側５ｆに突出して突出部１２２ｂに両端部を連結される安全手段支持部２４と、安全手段支持部２４に懸架される安全手段２５と、安全手段２５と連結される安全帯２９と、で構成されている。
【００２３】
三角枠部６は、図２に示すとおり、ベランダ天井壁５ｂとベランダ床面５ａとを突っ張って支持して室外側５ｆの端部に配置される縦支持部１１と、縦支持部１１の上端部から室内側５ｅに向かいベランダ５の幅方向に沿って延びる横支持部１２と、横支持部１２の室内側５ｅの端部から縦支持部１１の下端部まで延びて、上層階４のベランダ天井壁５ｂとベランダ床面５ａとを斜めに突っ張って支持する補強支持部１３と、を備えている。
【００２４】
縦支持部１１は、上縦支持部１１１と下縦支持部１１２と長さ調節手段１４ａとで組立分解可能に構成されている。
【００２５】
上縦支持部１１１は、図２、図３（ａ）に示すとおり、金属製で円筒状のパイプで形成され、上端部には、横支持部１２と連結する連結部１１１ａが設けられている。連結部１１１ａは、金属製の平板を横支持部１２の長手方向視断面コの字状に形成して、上縦支持部１１１のベランダ天井壁５ｂ側の端部に溶着されている。連結部１１１ａの対向する面の中央部には、後述する横支持部１２の角筒部と連結するボルトを挿入するための挿通孔１１１ｂがそれぞれ設けられている。上縦支持部１１１の下端面は、後述する雄ネジ部１４１ａを挿入可能な開口部１１１ｃを有している。
【００２６】
下縦支持部１１２は、図２、図３（ｃ）に示すとおり、金属製で円筒状のパイプで形成され、下端部側には、ベランダ床面５ａを押圧する第１の押圧部１５と、補強支持部１３が連結される角筒連結部１１２ａと、が設けられている。角筒連結部１１２ａは、断面矩形状のパイプで形成され、下縦支持部１１２を外嵌可能に形成されている。下縦支持部１１２の下端部側から角筒連結部１１２ａは挿入されている。角筒連結部１１２ａには、補強支持部１３と連結する連結リブ１１２ｂが設けられている。連結リブ１１２ｂは、ベランダ室内側壁５ｇに対向して配置された角筒連結部１１２ａの側面の長手方向に沿った中心軸に沿って、室内側５ｅに突出している。連結リブ１１２ｂのベランダ５の長手方向と直交する面の中央部には、ボルトを挿通する挿通孔１１２ｃが設けられている。
【００２７】
第１の押圧部１５は、ベランダ５の長手方向に沿って延びて断面Ｌ字状に形成され、角筒連結部１１２ａの下端面とベランダ側壁５ｃに対向する面とに溶着される金属製のアングル部１５１と、アングル部１５１の下面とベランダ側壁５ｃに対向する面とに装着され、ベランダ床面５ａとベランダ側壁５ｃを傷つけないよう緩衝材で形成された緩衝部１５２とを有している。本実施形態では、緩衝材は、ウレタンを用いているが、これにはこだわらない。例えば、ゴムや衝撃吸収力のあるパテを用いてもよい。
【００２８】
下縦支持部１１２の下端面と角筒連結部１１２ａの下端面は、アングル部１５１の上面と溶着されている。角筒連結部１１２ａの室外側５ｆの側面は、アングル部１５１の室内側５ｅを向いた面と溶着されている。
【００２９】
下縦支持部１１２の上端面は、後述する雄ネジ部１４１ａを挿入可能な開口部１１１ｄを有している。
【００３０】
図４においては、図４の紙面における上下を上下方向とする。長さ調節手段１４ａは、上縦支持部１１１と下縦支持部１１２と係止する雄ネジ部１４１ａと、雄ネジ部１４１ａと螺合する一対の雌ネジ部１４２ａとを有する。雄ネジ部１４１ａは、上縦支持部１１１の下側の開口部１１１ｃ及び下縦支持部１１２の上側の開口部１１２ｄから挿入され得るよう棒状に形成されている。本実施形態では、全長にわたってネジ山が形成されているが、雄ネジ部１４１ａの両端部部分のみにネジ山を形成して、中間部分には、ネジ山を形成しない形態にしてもよい。また、雄ネジ部１４１ａの外径と開口部１１１ｃの内径とが合わなくてガタつく場合には、円筒状のスペーサーを用いて調整してもよい。
【００３１】
雌ネジ部１４２ａは、内周面にネジ山が形成されて、外形は六角形のナット形状に形成され、上縦支持部１１１側と下縦支持部１１２側にそれぞれ一つずつ配置される。雌ネジ部１４２ａには、平面視における対称線上に沿って半径方向外側に延びて、回転を容易にさせる一対の回転棒１４３ａが設けられている。上縦支持部１１１側に配置された雌ネジ部１４２ａは、上面が、上縦支持部１１１の下端面と接し、下縦支持部１１２側に配置された雌ネジ部１４２ａは、下面が、下縦支持部１１２の上端面と接している。雌ネジ部１４２ａの上面及び下面は、それぞれ上縦支持部１１１の下端面、下縦支持部１１２の上端面より大きく形成されている。雌ネジ部１４２ａを回転させて上下方向に移動させることで縦支持部１１の長手方向の長さを調節可能となる。
【００３２】
補強支持部１３は、上補強支持部１３１と下補強支持部１３２と長さ調節手段１４ｂとで組立分解可能に構成されている。なお、補強支持部１３における上下方向は、補強支持部１３の長手方向に沿って、ベランダ天井壁５ｂに近い側を上、ベランダ床面５ａに近い側を下とする。
【００３３】
上補強支持部１３１は、図２、図３（ｂ）に示すとおり、金属製で円筒状のパイプで形成され、上端部には、横支持部１２と連結する連結部１３１ａが設けられている。連結部１３１ａは、金属製の平板を断面コの字状に形成して、上補強支持部１３１の上端部に溶接して装着される。連結部１３１ａの対向する面の中央部には、後述する横支持部１２と連結するボルトを挿入するための挿通孔１３１ｂがそれぞれ設けられている。上補強支持部１３１の下端面は、後述する雄ネジ部１４１ｂを挿入可能な開口部１３１ｃを有している。
【００３４】
下補強支持部１３２は、図２、図３（ｃ）に示すとおり、金属製で円筒状のパイプで形成され、下端部には、縦支持部１１と連結する連結部１３２ａが設けられている。連結部１３２ａは、金属製の平板を断面コの字状に形成して、下補強支持部１３２の下端部に溶着されている。連結部１３２ａの対向する面の中央部には、縦支持部１１と連結するボルトを挿入するための挿通孔１３２ｂがそれぞれ設けられている。下補強支持部１３２の下端面は、後述する雄ネジ部１４１ｂを挿入可能な開口部１３２ｃを有している。
【００３５】
図４に示すとおり、長さ調節手段１４ｂは、上補強支持部１３１と下補強支持部１３２とを係止する雄ネジ部１４１ｂと、雄ネジ部１４１ｂと螺合する一対の雌ネジ部１４２ｂとを有している。雄ネジ部１４１ｂは、上補強支持部１３１の下側の開口部１３１ｃと下補強支持部１３２の上側の開口部１３２ｃとから挿入され得るよう棒状に形成されている。本実施形態では、雄ネジ部１４１ｂの全長にわたってネジ山が形成されているが、雄ネジ部１４１ｂの両端部部分のみにネジ山を形成して、中間部分には、ネジ山を形成しない形態にしてもよい。また、雄ネジ部１４１ｂの外径と開口部１３２ｃの内径とが合わなくてガタつく場合には、円筒状のスペーサーを用いて調整してもよい。
【００３６】
雌ネジ部１４２ｂは、内周面にネジ山が形成され、外形は六角形のナット形状に形成され、上補強支持部１３１側と下補強支持部１３２側にそれぞれ一つずつ配置されている。雌ネジ部１４２ｂには、平面視における対称線上に沿って半径方向外側に延びて、回転を容易にさせる一対の回転棒１４３ｂが設けられている。上補強支持部１３１側に配置された雌ネジ部１４２ｂは、上面が、上補強支持部１３１の下端面と接し、下補強支持部１３２側に配置された雌ネジ部１４２ａは、下面が、下補強支持部１３２の上端面と接している。雌ネジ部１４２ｂの上面及び下面は、それぞれ上補強支持部１３１の下端面、下補強支持部１３２の上端面より大きく形成される。雌ネジ部１４２ｂを回転させて上下方向に移動させることで補強支持部１３の長手方向の長さを調節可能となる。
【００３７】
図２、図３（ａ）に示すとおり、横支持部１２は、ベランダ５の幅方向に沿って延びて室内側５ｅに配置される大角筒部１２１と、大角筒部１２１に挿入可能に形成されてベランダ５の幅方向に沿って延びて室外側５ｆに配置される小角筒部１２２と、で組立分解可能に構成されている。
【００３８】
大角筒部１２１は、断面矩形状の角パイプで形成され、ベランダ５の長手方向に直交する面にベランダ５の長手方向に沿って貫通する挿通孔１２１ａが複数個形成されている。小角筒部１２２は、断面矩形状の角パイプで形成され、ベランダ５の長手方向に直交する面にベランダ５の長手方向に沿って貫通する挿通孔１２２ａが複数個形成されている。大角筒部１２１のいずれかの挿通孔１２１ａが、小角筒部１２２のいずれかの挿通孔１２２ａと相互に対向され、それらの相互に対向する挿通孔１２１ａと挿通孔１２２ａとを、ボルトを挿通しナットで締めることによって大角筒部１２１と小角筒部１２２とが連結されることになる。
【００３９】
大角筒部１２１の室内側５ｅの端部の下面には、大角筒部１２１の長手方向に沿って下側に突出する連結リブ１２１ｂが設けられている。連結リブ１２１ｂは、上補強支持部１３１の連結部１３１ａと干渉しないように下側の端部が半円状に形成され、中央部には、上補強支持部１３１の連結部１３１ａと連結するボルトを挿入する挿通孔１２１ｃが設けられている。
【００４０】
また、大角筒部１２１の室内側５ｅの端部には、ベランダ天井壁５ｂとベランダ室内側壁５ｇを押圧する第３の押圧部１７が設けられている。第３の押圧部１７は、ベランダ５の長手方向に沿って延びて断面Ｌ字状に形成され、大角筒部１２１の室内側５ｅの端面と上面とに溶着される金属製のアングル部１７１と、アングル部１７１の上面とベランダ室内側壁５ｇに対向する面とに装着され、ベランダ天井壁５ｂとベランダ室内側壁５ｇを傷つけないよう緩衝材で形成された緩衝部１７２とを有している。本実施形態では、緩衝材は、ウレタンを用いているが、これにはこだわらない。例えば、ゴムや衝撃吸収力のあるパテを用いてもよい。
【００４１】
図２に示すとおり、小角筒部１２２には、上縦支持部１１１と連結される部分の上面に第２の押圧部１６が設けられている。第２の押圧部１６は、小角筒部１２２の長手方向に沿って延びて中央部が平板で両端部が長手方向視断面コの字状に形成されたベース部１６１を備え、ベース部１６１の断面コの字状部分の対向する板部分の中央部には、小角筒部１２２に設けられた挿通孔１２２ａに対向するように挿通孔１６１ａが形成される。また、ベース部１６１の上面には、ベランダ天井壁５ｂを傷つけないよう緩衝材で形成された緩衝部１６２が設けられている。本実施形態では、緩衝材は、ウレタンを用いているが、これにはこだわらない。例えば、ゴムや衝撃吸収力のあるパテを用いてもよい。また、第２の押圧部１６を小角筒部１２２に直交させて配置してもよい。
【００４２】
図２、図３（ａ）、（ｂ）、（ｃ）に示すように、三角枠部６を構成する縦支持部１１は、上端部で横支持部１２と連結され、横支持部１２は、室内側５ｅの端部で補強支持部１３と連結され、補強支持部１３は、縦支持部１１の下端部と連結されている。連結の方法についてはこれにはこだわらない。例えば、上縦支持部１１１の上端側に室内側５ｅに突出するようにブラケットを設け、上補強支持部１３１上端側にも室外側５ｆに突出するようにブラケットを設けて横支持部１２の両端部で連結してもよい。この場合、上縦支持部１１１及び上補強支持部１３１の上端部でベランダ天井壁５ｂを押圧することになる。
【００４３】
突出アーム部７は、図２、図５に示すとおり、金属製の円筒状のパイプで形成され、中央部で三角枠部６を構成する縦支持部１１の中央部に装着された支持部材１８１によって支持され、室内側５ｅの端部で補強支持部１３の中央部に装着された支持部材１８２によって支持され、室外側５ｆに延びて形成されている。本実施形態では、図６に示すとおり、支持部材１８１に、下縦支持部１１２と突出アーム部７とを十字状に固定するクランプ（兼用直交クランプ１８１ａ）を、支持部材１８２に、下補強支持部１３２と突出アーム部７のそれぞれを支持するクランプ部分が回動可能に軸支されているクランプ（兼用自在クランプ１８２ａ）を用いているが、これらには、こだわらない。例えば、支持部材１８１、支持部材１８２共にクランプ部分が回動可能に軸支されているクランプ（兼用自在クランプ１８２ａ）を用いてもよい。また、上縦支持部１１１と上補強支持部１３１に支持部材１８１、支持部材１８２を装着して突出アーム部７を支持してもよい。
【００４４】
図２、図５に示すとおり、防護シート支持部８は、ワイヤ部材８１で形成される。上層階４に三角枠部６で構成される平面がベランダ５の長手方向に直交するように間隔をおいて配置された、一組の枠組み部１９の、突出アーム部７の室外側５ｆの端部同士に連結されている。本実施形態では、防護シート支持部８にワイヤ部材８１を用いたがこれらには、こだわらない。それぞれの突出アーム部７の室外側５ｆの端部に、クランプで支持する部材を装着して角パイプ、円筒状のパイプ、丸棒、角棒等を支持したものであってもよい。
【００４５】
図２、図５に示すとおり、防護シート９は、合成樹脂製又は繊維製で矩形シート状に形成され、防護シート支持部８に、上側の辺を支持されている。落下防止、塗料の飛散防止等目的に応じて材質は自由に選択可能である。本実施形態では、上側の辺に沿って挿通孔９１を設け、挿通孔９１の円周部に保護リング９２を装着し、挿通孔９１にワイヤ部材８１を挿通することで防護シート支持部８に支持されるが、これらには、こだわらない。例えば、防護シート９を防護シート支持部８に用いられる部材に巻き付けて支持したり、防護シート９の上側の辺を折り返して溶着してトンネル状に形成して防護シート支持部８を挿通して支持したりしてもよい。
【００４６】
ここで、図１に示すように、ベランダ５１の幅方向に沿って室内に向かう側を室内側５Ｅ、その反対側を室外側５Ｆとする。図１に示すとおり、防護シート支持部８に支持された防護シート９は、作業階３に設置された工事用足場２を、室外側５Ｆから覆うように、上層階４から作業階３のベランダ側壁５Ｃの室内側５Ｅ下部まで懸吊されている。
【００４７】
図１に示すとおり、錘部材１０は、金属製の円筒状のパイプで形成され、防護シート９の幅方向に沿って下端部に装着されている。本実施形態では、錘部材１０は、金属製の円筒状のパイプで形成されているが、これには、こだわらない。例えば、金属製の円筒状のパイプを切断して、その切断部を嵌合可能に形成して組み立てるようにしたり、角パイプで形成したり、してもよい。本実施形態では、防護シート９の下端部を折り返して溶着してトンネル状に形成して、錘部材１０を挿通して装着しているが、これらにはこだわらない。錘部材１０を防護シート９の下端部の辺に沿って貫通孔を設け、貫通孔の円周部に保護部材を装着し、線状の部材で錘部材１０を縣吊したりしてもよい。また、本実施形態では、錘部材１０を用いて防護シート９が突風で舞い上がるのを防止しているが、これにはこだわらない。例えば、紐やワイヤ部材等で作業階３のベランダ側壁５Ｃに止着してもよい。
【００４８】
図２、図５に示すとおり、枠組み部１９には、所定の風速以上の風が吹いた時に、作業者に警告を発する風力風向検知機２０が装着されている。
【００４９】
風力風向検知機２０は、図７、図８、図９に示すとおり、枠組み部１９と風力風向検知機２０とを連結軸支する連結軸部２１と、風を受けた際に水平方向に回動する水平回転部２２と、風を受けた際に垂直方向に回動する垂直回転部２３とで構成されている。なお、図７、８における上下を上下方向とし、図８、９に向かって左側を前、右側を後ろとする。
【００５０】
連結軸部２１は、風力風向検知機２０を固定して、枠組み部１９の何れかの円筒状のパイプ部分に装着されるクランプ部２１１を有している。クランプ部２１１は、枠組み部１９の円筒状のパイプの半径方向外側に向かって水平方向に沿って延びて矩形平板状に形成される下支持板２１２を支持している。下支持板２１２には、下支持板２１２と直交して上方向に延びる一対の上支持板２１３と、一対の上支持板２１３に支持され、軸受け機能を有する円筒パイプ２１４と、が溶着されている。円筒パイプ２１４に、水平回転部２２に枢支され水平回転部２２の回転軸となる上端部には雄ネジが形成されている回転軸棒２１５の下端部が挿入されている。
【００５１】
水平回転部２２には、回転軸棒２１５にワッシャー部材２２１を介して締結部材２２２で締められて軸支され矩形板状に形成される回転板２２３が設けられている。回転板２２３の後端部には、回転軸棒２１５の半径方向外側に向かって延び円柱状に形成された水平本体部２２４が設けられている。水平本体部２２４の後端部には、水平本体部２２４の軸方向に沿って水平本体部２２４から上方向に延びる上垂直尾翼２２５と、下方向に延びる下垂直尾翼２２６と、が設けられている。回転板２２３の前端部には、前面視断面コの字状に形成され垂直回転部２３と連結されるコの字枠部２２７が設けられている。
【００５２】
垂直回転部２３は、コの字枠部２２７に軸支され平面視断面略ホームベース状に形成される垂直本体部２３ａを有している。垂直本体部２３ａには、コの字枠部２２７の開口部の対向する板の端部部分に設けられた軸支孔２２８と対向する軸支孔２３ｂが設けられている。軸支孔２３ｂと軸支孔２２８とを垂直回転軸２３ｃで挿通し、垂直回転軸２３ｃの両端部をナット締め、リベット締め等の方法で軸支されている。垂直本体部２３ａの後部の略三角形状となる部分の中央部には、垂直回転軸２３ｃと平行に補強板２３ｄが設けられている。垂直本体部２３ａの略三角形状部分の鋭角部には、垂直本体部２３ａの略三角形状部分の鋭角部と補強板２３ｄとで支持され後述する水平尾翼２３ｆを支持する水平尾翼支持部２３ｅが設けられている。水平尾翼支持部２３ｅは、断面矩形状に形成された角棒で水平回転部２２の水平本体部２２４と平行するように伸びている。水平尾翼２３ｆが支持される部分は、上下方向の厚みが他の部分より厚く形成されている。
【００５３】
水平尾翼２３ｆは、前方部が凹んだ形状の平板に形成され、前方部を垂直本体部２３ａと対向させて、水平尾翼支持部２３ｅに支持されている。
【００５４】
垂直本体部２３ａ前方部の平板部分には、水平尾翼支持部２３ｅの同軸線上に羽根軸孔２３ｇが設けられている。羽根軸孔２３ｇには、羽根軸２３ｈが挿通されている。羽根軸２３ｈは、羽根軸孔２３ｇ円周に配設された軸受２３ｉによって軸支されている。羽根軸２３ｈの前方の端部には、羽根部２３ｊが装着されている。羽根部２３ｊは、羽根２３ｋと、羽根基部２３ｍとで構成されている。羽根２３ｋは、風を受けると回動するように風車状に配置され、羽根基部２３ｍに一方の端部を支持されている。羽根基部２３ｍは、羽根軸２３ｈに挿入可能な円筒状に形成され羽根軸２３ｈ前端部においてナット等で締め付けて固定している。羽根部２３ｊの回転円周外側には、羽根２３ｋを保護するため平板を断面円形状に形成し、垂直本体部２３ａに装着される円形枠部２３ｎが設けられている。
【００５５】
羽根軸２３ｈの後方端部には、所定の風速の風が吹いた場合に作業者に警告を発する警告部２３ｐが設けられている。図１０に示すとおり、警告部２３ｐは、円形平板状で羽根軸２３ｈに嵌入可能に形成される円盤部２３ｑと、矩形平板状に形成され一方の端部を円盤部２３ｑの外周辺部に等間隔に設けられた軸支孔２３ｒで軸支される警告板２３ｓと、円盤部２３ｑと警告板２３ｓと連杆し羽根軸２３ｈ方向に付勢するばね２３ｔとで構成されている。
【００５６】
また、図２、図５に示すとおり、風力風向を検知する手段として、風力風向検知機２０とあわせて吹き流し２８を使用してもよい。本実施形態においては、図１３（ａ）、（ｂ）に示すとおり、上縦支持部１１１に室外側５ｆに突出し中央部に孔を設けたリブ２８１にリング部材２８２を挿入して装着しているが、これらにはこだわらない。目視可能であれば、ワイヤ部材等を用いて環をつくり、枠組み部１９のいずれかの場所に引っ掛けて装着してもよい。
【００５７】
横支持部１２の小角筒部１２２には、室外側５ｆに突出する突出部１２２ｂが設けられている。突出部１２２ｂの室外側５ｆの端部同士で安全手段支持部２４は連結されている。本実施形態では、安全手段支持部２４にワイヤ部材２４１を用いているが、これらにはこだわらない。突出部１２２ｂの室外側５ｆの端部にクランプを装着して、円筒状パイプや角パイプを用いてもよい。図５、図１２に示すとおり、安全手段支持部２４には、安全手段２５が配設されている。安全手段２５は、安全手段支持部２４に懸吊されるショックアブソーバー機能付き安全ブロック２５１と、後述する安全帯２９と安全ブロック２５１とを繋ぐランヤード２５２と、で構成されている。作業者には、安全を確保するために安全帯２９が装着されている。安全ブロック２５１は、着脱可能でリング状の部材で懸吊されるので、上層階４に設置された一組の枠組み部１９の間の距離を移動可能である。ランヤード２５２は、両方の端部を着脱可能なリング状の部材で形成され、それぞれ安全ブロック２５１と安全帯２９と連結されている。
【００５８】
図１１に示すとおり、防護シート支持部８と安全手段支持部２４とが、それぞれワイヤ部材８１、２４１で構成され、枠組み部１９にワイヤ部材８１、２４１の長さと、張り具合を調節する巻き取り装置２６とワイヤ部材８１、２４１をガイドするガイドローラ２７を有している。本実施形態においては、巻き取り装置２６は、突出アーム部７と上縦支持部１１１に配置し、ガイドローラ２７は、突出アーム部７、突出部１２２ｂのそれぞれの室外側５ｆの端部に配置しているが、これらにはこだわらない。ワイヤ部材８１、２４１を巻き取り、ガイド可能であるならば、枠組み部１９のいずれかの場所に配置してもよい。例えば、一方の突出部１２２ｂのみにガイドローラ２７を装着し、他方の突出部１２２ｂにワイヤ部材８１、２４１を止着してもよい。同様に、ワイヤ部材８１、２４１の一方の端部に巻き取り装置２６を装着してもよい。
【００５９】
また、巻き取り装置２６に手動ウインチを用いているが、ワイヤ部材８１、２４１を引っ張ったり緩めたりでき、長さを固定できる機能を有するものであれば、これらにこだわらない。
【００６０】
図１はベランダ５１内に配置される工事用足場２の側面を示すものであり、作業階３のベランダ５１は、部屋の外側に配置されている。工事用足場２は、ベランダ床面５Ａに当接する区分を含む下部区域Ｍ１と、ベランダ天井壁５Ｂに係止する部分を含む上部区域Ｍ２と、ベランダ側壁５Ｃから室外側５Ｆに突出する区分を含む側部区域Ｍ３とを備えている。側部区域Ｍ３は作業区域として構成されている。
【００６１】
下部区域Ｍ１には、工事用足場２をベランダ床面５Ａに支持させるキャスタ３１とアジャスタ３２とが設けられ、上部区域Ｍ２の上方には、係止部材ユニット３３が配置されている。係止部材ユニット３３は、ベース体３４と、メインジャッキ３５とを備えている。
【００６２】
メインジャッキ３５の上部には、係止部材３６が装着されている。ベース体３４には、ベランダ５１の室内側５Ｅに延びるアームジャッキ３７が挿入されている。アームジャッキ３７の先端には、ベランダ天井壁５Ｂを係止する補助係止部材３８が配置されている。
【００６３】
吊り下げ装置１の使用方法を以下に説明する。高層住宅の作業を行なう作業階３のベランダ５１に工事用足場２は設置される。
【００６４】
上述した構成の工事用足場２を、下部区域Ｍ１に装着されているアジャスタ３２をベランダ床面５Ａに設置して、工事用足場２をベランダ床面５Ａに支持させる。次に、メインジャッキ３５を操作して係止部材３６をベランダ天井壁５Ｂに接地して押し当てる。さらに、補助係止部材３８をベランダ天井壁５Ｂに押し付ける。これらによって、工事用足場２の設置が完了する。
【００６５】
工事用足場２の設置が完了したら、作業階３の一つ上の上層階４に分割された吊り下げ装置１の各部位を階段又は、エレベータによって運搬する。分割された部位は、縦支持部１１における上縦支持部１１１と下縦支持部１１２と長さ調節手段１４ａ、補強支持部１３における上補強支持部１３１と下補強支持部１３２と長さ調節手段１４ｂ、横支持部１２における大角筒部１２１と小角筒部１２２、突出アーム部７、防護シート支持部８、防護シート９、錘部材１０が主なものである。これらは、全てエレベータに収納可能な大きさに形成されている。そのほか、各部位に付属する、例えば、風力風向検知機２０や吹き流し２８、安全手段支持部２４、安全手段２５、また、支持部材１８１、支持部材１８２等の組付け部材、さらに、作業道具、清掃道具等も運搬する。
【００６６】
上記各部位を上層階４内に運搬した後、吊り下げ装置１を組み立てる。図２、図４に示すとおり、まず、縦支持部１１の雄ネジ部１４１ａの両端部から一対の雌ネジ部１４２ａを螺合して、回転棒１４３ａを回転させて雄ネジ部１４１ａの中央部方向に雌ネジ部１４２ａを移動させる。雄ネジ部１４１ａの両端部を、上縦支持部１１１の下側となる開口部１１１ｃと、下縦支持部１１２の上側となる開口部１１２ｄとに、挿入して縦支持部１１を形成する。ベランダ床面５ａとベランダ天井壁５ｂとの間の高さに合わせて、雌ネジ部１４２ａの位置を調節することにより、縦支持部１１の長手方向の長さを仮決めする。
【００６７】
次に、補強支持部１３の雄ネジ部１４１ｂの両端部から一対の雌ネジ部１４２ｂを螺合して、回転棒１４３ｂを回転させて雄ネジ部１４１ｂの中央部方向に雄ネジ部１４１ｂを移動させる。雄ネジ部１４１ｂの両端部を上補強支持部１３１の下側となる開口部１３１ｃと、下補強支持部１３２の上側となる開口部１３２ｃとに、挿入して補強支持部１３を形成する。雌ネジ部１４２ｂの位置を調節することにより、補強支持部１３の長手方向の長さを仮決めする。
【００６８】
次に、大角筒部１２１に小角筒部１２２を挿入し、ベランダ５の幅方向の長さに合わせて、対向させる大角筒部１２１の挿通孔１２１ａと小角筒部１２２の挿通孔１２２ａとを決め、ボルトを挿通しナットで締めることによって大角筒部１２１と小角筒部１２２とを連結する。縦支持部１１と連結する周辺部で、第２の押圧部１６のベース部１６１に設けられた挿通孔１６１ａと小角筒部１２２の挿通孔１２２ａとを対向させ、ボルトを挿通しナットで締めることによって第２の押圧部１６のベース部１６１と小角筒部１２２とを連結して横支持部１２を形成する。
【００６９】
長さを仮決めした、縦支持部１１と横支持部１２と補強支持部１３とを、連結して三角枠部６を形成する。
【００７０】
図２、図４に示すとおり、まず、上縦支持部１１１の連結部１１１ａに設けられた挿通孔１１１ｂと、小角筒部１２２に設けられた挿通孔１２２ａとを対向させて、ボルトを挿通しナットで締めることにより、縦支持部１１と横支持部１２とを連結する。
【００７１】
次に、下縦支持部１１２の連結リブ１１２ｂの設けられた挿通孔１１２ｃと、下補強支持部１３２の連結部１３２ａに設けられた挿通孔１３２ｂとを、対向させボルトを挿通しナットで締めることにより、縦支持部１１と補強支持部１３とを連結する。
【００７２】
次に、大角筒部１２１の連結リブ１２１ｂに設けられた挿通孔１２１ｃと、上補強支持部１３１の連結部１３１ａに設けられた挿通孔１３１ｂとを、対向させ、ボルトを挿通しナットで締めることにより、横支持部１２と補強支持部１３とを連結する。
【００７３】
以上の工程により三角枠部６が形成される。次に、三角枠部６と突出アーム部７を組み付ける。図２、図６（ａ）、（ｂ）に示すとおり、支持部材１８１の一方のクランプで下縦支持部１１２を締結し、支持部材１８２の一方のクランプで下補強支持部１３２を締結しておく。縦支持部１１に直交するように突出アーム部７を配置して、支持部材１８１の他方のクランプで突出アーム部７を締結し、支持部材１８２の他方のクランプで突出アーム部７を締結することで、突出アーム部７を三角枠部６で支持する。この時点では、後の工程で調整できるよう仮締めとする。
【００７４】
三角枠部６と突出アーム部７とを組み付けることによって、枠組み部１９が形成される。仮決めされた枠組み部１９を上層階４に設置するため、下縦支持部１１２の第１の押圧部１５がベランダ床面５ａとベランダ側壁５ｃとを押圧するように配置し、小角筒部１２２の第２の押圧部１６がベランダ天井壁５ｂを押圧するように配置し、大角筒部１２１の第３の押圧部１７がベランダ天井壁５ｂとベランダ室内側壁５ｇを押圧するように配置する。このとき、三角枠部６で構成される面がベランダ５の長手方向に直交するように配置する。位置が決まったら、図４に示すとおり、長さ調節手段１４ａの上縦支持部１１１と接している雌ネジ部１４２ａを上側に移動させ、下縦支持部１１２と接している雌ネジ部１４２ａを下側に移動させる。これにより、縦支持部１１でベランダ床面５ａとベランダ天井壁５ｂとを突っ張って支持することになる。同様に、長さ調節手段１４ｂの上補強支持部１３１と接している雌ネジ部１４２ｂを上側に移動させ、下補強支持部１３２に接している雌ネジ部１４２ｂを下側に移動させる。これにより、補強支持部１３でベランダ床面５ａとベランダ天井壁５ｂとを突っ張って支持することになる。一対の枠組み部１９で吊り下げ装置１を構成するので、図５に示すとおり、先に一つの枠組み部１９をベランダ５の長手方向の一方の端に設置する。この時、突出アーム部７は、室内側５ｅに配置して室外側５ｆに突出しないようにしておく。
【００７５】
一つの枠組み部１９を設置したら、図２、図５に示すとおり、ワイヤ部材８１を、防護シート９の挿通孔９１に挿通して、一方の端部を設置した枠組み部１９の突出アーム部７の室外側５ｆの端部に止着する。図１１に示すとおり、まだ設置されていない枠組み部１９の突出アーム部７の室外側５ｆとなる先端部にガイドローラ２７を装着し、突出アーム部７の支持部材１８１と支持部材１８２の間に巻き取り装置２６を装着しておき、ワイヤ部材８１の止着されていない方の端部を巻き取り装置２６に止着して、ワイヤ部材８１を巻き取り可能な状態にしておく。
【００７６】
また、設置した枠組み部１９の小角筒部１２２の突出部１２２ｂの室外側５ｆの端部にワイヤ部材２４１を止着する。まだ設置されていない枠組み部１９の小角筒部１２２の突出部１２２ｂの室外側５ｆの端部にガイドローラ２７を装着し、上縦支持部１１１に巻き取り装置２６を装着しておき、ワイヤ部材２４１の止着されていない方の端部を巻き取り装置２６に止着して、ワイヤ部材２４１を巻き取り可能な状態にしておく。
【００７７】
もう一つの枠組み部１９を、先に設置した枠組み部１９とはベランダ５の長手方向の反対側に設置する。この時、ワイヤ部材８１、ワイヤ部材２４１がそれぞれのガイドローラ２７から外れないように枠組み部１９を設置する。位置が決まったらそれぞれの巻き取り装置２６を巻いてワイヤ部材８１、ワイヤ部材２４１の長さや、張り具合を調節する。
【００７８】
ワイヤ部材８１が適正な状態になったら、図１に示すとおり、防護シート９を上層階４のベランダ５から作業階３方向にゆっくり降ろし、工事用足場２を室外側５Ｆから覆うようにして作業階３のベランダ側壁５Ｃの室内側５Ｅ下部まで懸吊する。錘部材１０を防護シート９に装着して、懸吊すると危険であるので作業階３で装着するのが望ましい。
【００７９】
ワイヤ部材２４１が適正な状態になったら、図１、図５、図１２に示すとおり、安全ブロック２５１を着脱可能なリング状の部材で懸吊する。両方の端部を着脱可能なリング状の部材で形成されたランヤード２５２の上方の端部を安全ブロック２５１に連結する。下方の端部を、工事用足場２の作業区域となる側部区域Ｍ３にいる作業者に装着されている安全帯２９と連結する。
【００８０】
枠組み部１９の風を検知しやすい場所に風力風向検知機２０と吹き流し２８を装着する。防護シート９に覆われない場所に装着するのが望ましい。
【００８１】
以上の工程により、吊り下げ装置１の設置が完了する。本実施形態の吊り下げ装置１において、防護シート９は、上層階４のベランダ５に設置された吊り下げ装置１の防護シート支持部８に、上側の辺を支持され配設されている。作業階３のベランダ５１に設置された工事用足場２とは分離して設置されるため、作業階３のベランダ５１に設置された工事用足場２は、防護シート９で保護されることから突風の影響を受けないので作業者は、安全に作業をすることができる。また、防護シート９は、上層階４から作業階３のベランダ５１まで覆われて配設されるため、作業に使用する工具等の落下、外壁改修作業に使用する塗料の飛散を防止することができる。
【００８２】
また、ベランダ天井壁５ｂやベランダ床面５ａを縦支持部１１、横支持部１２、補強支持部１３で直接突っ張って支持するのではなく、緩衝部１５２を備えた第１の押圧部１５と、緩衝部１６２を備えた第２の押圧部１６と、緩衝部１７２を備えた第３の押圧部１７と、により押圧することで、ベランダ天井壁５ｂとベランダ床面５ａとを傷つけることがない。第１、３の押圧部は、ベランダ５の長手方向に沿って形成され、第２の押圧部１６は、ベランダ５の幅方向に沿って形成され、面で壁と接触していて傾いた時に壁と干渉するため、吊り下げ装置１が直ちに倒壊することはない。
【００８３】
風力風向検知機２０は、風を受けた際に風向きと平行になり水平方向に回動する水平回転部２２と、風を受けた際に風向きと平行になり垂直方向に回動する垂直回転部２３と、を備えるため、どの方向から風が吹いても風を検知できる。
【００８４】
警告部２３ｐは、羽根部２３ｊと同軸に配置されているので、羽根部２３ｊが回転すると警告部２３ｐも回動することになる。ばね２３ｔの強さを調整することで作業時に危険の目安となる風速１０から１５メートル程度の風が吹いた時に、警告部２３ｐの回転の遠心力で警告板２３ｓが半径外側に開くようにすることができる。警告板２３ｓを赤色等の色で着色することによって、作業者は警告板２３ｓが、開いたのを見て風が吹いていることを知り、突風に対して安全に避難することができる。あわせて吹き流し２８を使用することで作業員の安全性を高めることができる。
【００８５】
また、縦支持部１１と補強支持部１３に設けられた長さ調節手段１４ａと、長さ調節手段１４ｂとにより、ベランダ天井壁５ｂとベランダ床面５ａとの間の長さに合わせて吊り下げ装置１を設置することができる。横支持部１２の大角筒部１２１及び小角筒部１２２に設けられた挿通孔１２１ａ、１２２ａの対向させる位置を調節することでベランダ５の幅方向の長さに合わせて吊り下げ装置１を設置できる。
【００８６】
また、安全手段支持部２４は、上層階４のベランダ５に配設され安全手段２５を懸架している。工事用足場２と分離して懸架されるので、工事用足場２が倒壊しても、作業者は安全を確保することができる。また、安全手段支持部２４の長さ分の移動が可能となり、安全ブロック２５１に連結されるランヤード２５２と安全帯２９とを着脱することなく左右の移動が可能で、作業員の利便性と安全性を確保することができる。
【００８７】
また、安全手段支持部２４及び防護シート支持部８に、ワイヤ部材８１、２４１及び巻き取り装置２６を用いることによって、一組の枠組み部１９の配置間隔の調節が容易となる。作業員の移動距離及び防護シート９の幅をベランダ５の長手方向の長さとすることができる。さらには、二つのベランダ５をまたいで吊り下げ装置１を配置することも可能となる。
【符号の説明】
【００８８】
１  吊り下げ装置
２  工事用足場
３  作業階
４  上層階
５  ベランダ
５１  ベランダ
５ａ  ベランダ床面
５ｂ  ベランダ天井壁
５ｃ  ベランダ側壁
５Ｃ  ベランダ側壁
５ｇ  ベランダ室内側
５ｅ  室内側
５Ｅ  室内側
５ｆ  室外側
５Ｆ  室外側
６  三角枠部
７  突出アーム部
８  防護シート支持部
８１  ワイヤ部材
９  防護シート
１１  縦支持部
１２  横支持部
１３  補強支持部
１４ａ  長さ調節手段
１４ｂ  長さ調節手段
１５  第１の押圧部
１５２  緩衝部
１６  第２の押圧部
１６２  緩衝部
１７  第３の押圧部
１７２  緩衝部
２０  風力風向検知機
２１  連結軸部
２２  水平回転部
２３  垂直回転部
２３ｐ  警告部
２３ｑ  円盤部
２４  安全手段支持部
２４１  ワイヤ部材
２５  安全手段
２６  巻き取り装置
２９  安全帯
【図１】
2011047186.tif 000003
【図２】
2011047186.tif 000004
【図３】
2011047186.tif 000005
【図４】
2011047186.tif 000006
【図５】
2011047186.tif 000007
【図６】
2011047186.tif 000008
【図７】
2011047186.tif 000009
【図８】
2011047186.tif 000010
【図９】
2011047186.tif 000011
【図１０】
2011047186.tif 000012
【図１１】
2011047186.tif 000013
【図１２】
2011047186.tif 000014
【図１３】
2011047186.tif 000015